(57)【要約】      （修正有）【課題】軽量異物の分離に好適なスクリ−ン装置及びスクリ−ン装置の異物分離方法を提供。【解決手段】製紙原料を受け入れる槽３と、この槽３に接続され槽３へ前記製紙原料を導く製紙原料の入口通路４と、槽３内を一次室３Ａと二次室に区画する円筒形状のスクリ−ン１と、スクリ−ン１の外側に回転自在に支持され、前記製紙原料を攪拌する攪拌部材２とを有し、一次室３Ａの軽量異物出口部３１に連通するように設けられ、前記製紙原料の重量異物を一次室３Ａの外へ導く重量異物出口通路７とを備え、軽量異物出口部３１は、重量異物出口部３２より上位に位置し、軽量異物出口部３１は、頂面攪拌部材２Ａに対向しているものであるスクリ−ン装置Ａ。【選択図】図１
2019060056.tif 000002
【特許請求の範囲】
【請求項１】
製紙原料をスクリーンに供給すると共に、前記スクリーンの外側に対向して回転する攪拌部材により、前記スクリーンの目洗い作用を行って、前記製紙原料から異物を除去するスクリーン装置であって、
前記製紙原料を受け入れる槽と、
この槽に接続され前記槽へ前記製紙原料を導く製紙原料の入口通路と、
前記スクリーンによって、精選された前記製紙原料を前記槽外へ導く精選出口通路と、
この槽内に固定して設けられ、前記槽内を一次室と二次室に区画する円筒形状のスクリ−ンと、
前記スクリ−ンの外側に回転自在に支持され、前記製紙原料を攪拌する攪拌部材とを有し、
前記一次室の軽量異物出口部に連通するように設けられ、前記製紙原料の軽量異物を前記一次室の外へ導く軽量異物出口通路と、
前記一次室の重量異物出口部に連通するように設けられ、前記製紙原料の重量異物を前記一次室の外へ導く重量異物出口通路と、を備え、
前記製紙原料の入口部、前記軽量異物出口部、前記重量異物出口部を前記一次室に、前記精選出口部を前記二次室に、それぞれ臨ませ、前記スクリ−ンの外側に前記一次室が、前記スクリ−ンの内側に前記二次室が、それぞれ形成され、
前記攪拌部材は、前記スクリーンの天井部より高い位置に支持された頂面攪拌部材と、この頂面攪拌部材から垂下した垂下攪拌部材とを有し、
前記軽量異物出口部は、前記重量異物出口部より上位に位置し、
前記軽量異物出口部は、前記頂面攪拌部材に対向している
ことを特徴とするスクリ−ン装置。
【請求項２】
頂面攪拌部材は、スクリーンの天井部より高い位置に支持されたリング状部と、このリング状部に接続された略円錐台状部材と、この略円錐台状部材の側面に設けられた複数の羽根と、前記略円錐台状部の頂面に設けられた凸部とを有し、
前記凸部は、前記軽量異物出口部に向かって突出している
ことを特徴とする請求項１記載のスクリ−ン装置。
【請求項３】
頂面攪拌部材は、スクリーンの天井部より高い位置に支持された円盤状部と、この円盤状部の中心部に設けられた凸部とを有し、
前記凸部は、前記軽量異物出口部に向かって突出している
ことを特徴とする請求項１記載のスクリ−ン装置。
【請求項４】
製紙原料をスクリーンに供給すると共に、前記スクリーンの外側に対向して回転する攪拌部材により、前記スクリーンの目洗い作用を行って、前記製紙原料から異物を除去するスクリーン装置の異物分離方法であって、
前記製紙原料を受け入れる槽と、
この槽に接続され前記槽へ前記製紙原料を導く製紙原料の入口通路と、
前記スクリーンによって、精選された前記製紙原料を前記槽外へ導く精選出口通路と、
この槽内に固定して設けられ、前記槽内を一次室と二次室に区画する円筒形状のスクリ−ンと、
前記スクリ−ンの外側に回転自在に支持され、前記製紙原料を攪拌する攪拌部材とを有し、
前記一次室の軽量異物出口部に連通するように設けられ、前記製紙原料の軽量異物を前記一次室の外へ導く軽量異物出口通路と、
前記一次室の重量異物出口部に連通するように設けられ、前記製紙原料の重量異物を前記一次室の外へ導く重量異物出口通路と、を備え、
前記製紙原料の入口部、前記軽量異物出口部、前記重量異物出口部を前記一次室に、前記精選出口部を前記二次室に、それぞれ臨ませ、前記スクリ−ンの外側に前記一次室が、前記スクリ−ンの内側に前記二次室が、それぞれ形成され、
前記攪拌部材は、前記スクリーンの天井部より高い位置に支持された頂面攪拌部材と、この頂面攪拌部材から垂下した垂下攪拌部材とを有し、
前記軽量異物出口部は、前記重量異物出口部より上位に位置し、
前記軽量異物出口部は、前記頂面攪拌部材に対向し、
前記頂面攪拌部材の攪拌により、前記製紙原料からの軽量異物を前記頂面攪拌部材の中心に集め、前記軽量異物を前記軽量異物出口部から、
前記垂下攪拌部材の攪拌により、前記製紙原料からの重量異物を重力により前記重量異物出口部から、それぞれ前記槽外へ分離して導く
ことを特徴とするスクリ−ン装置の異物分離方法。
【発明の詳細な説明】
【技術分野】
【０００１】
本発明は、スクリ−ン装置及びスクリ−ン装置の異物分離方法に係り、特に、軽量異物の分離に好適なスクリ−ン装置及びスクリ−ン装置の異物分離方法に関する。
【背景技術】
【０００２】
従来、スクリーンの外側に対向して回転する攪拌部材を位置させ、製紙原料をスクリーンの外側から内側に向かわせて精選するスクリ−ン装置（特許文献参照）。
このスクリ−ン装置は、攪拌部材により製紙原料を攪拌して、スクリーンを介して、異物と精選された繊維に分離するようにしている。
【先行技術文献】
【特許文献】
【０００３】
【特許文献１】特許第４３７６１５１号公報
【発明の概要】
【発明が解決しようとする課題】
【０００４】
ところが、上記スクリ−ン装置にあって、スクリーンを通過しない異物の内、重量異物は、重力により異物排出口に導かれるが、スクリーンを通過しない異物の内、軽量異物は、浮上してスクリーンの上流側に溜まったままで排出されないという問題点が生じた。
【０００５】
本発明は、上記問題点を考慮してなされたもので、軽量異物の分離に好適なスクリ−ン装置及びスクリ−ン装置の異物分離方法を提供することを目的とする。
【課題を解決するための手段】
【０００６】
請求項１記載のスクリ−ン装置は、製紙原料をスクリーンに供給すると共に、前記スクリーンの外側に対向して回転する攪拌部材により、前記スクリーンの目洗い作用を行って、前記製紙原料から異物を除去するスクリーン装置であって、前記製紙原料を受け入れる槽と、この槽に接続され前記槽へ前記製紙原料を導く製紙原料の入口通路と、前記スクリーンによって、精選された前記製紙原料を前記槽外へ導く精選出口通路と、この槽内に固定して設けられ、前記槽内を一次室と二次室に区画する円筒形状のスクリ−ンと、前記スクリ−ンの外側に回転自在に支持され、前記製紙原料を攪拌する攪拌部材とを有し、前記一次室の軽量異物出口部に連通するように設けられ、前記製紙原料の軽量異物を前記一次室の外へ導く軽量異物出口通路と、前記一次室の重量異物出口部に連通するように設けられ、前記製紙原料の重量異物を前記一次室の外へ導く重量異物出口通路と、を備え、前記製紙原料の入口部、前記軽量異物出口部、前記重量異物出口部を前記一次室に、前記精選出口部を前記二次室に、それぞれ臨ませ、前記スクリ−ンの外側に前記一次室が、前記スクリ−ンの内側に前記二次室が、それぞれ形成され、前記攪拌部材は、前記スクリーンの天井部より高い位置に支持された頂面攪拌部材と、この頂面攪拌部材から垂下した垂下攪拌部材とを有し、前記軽量異物出口部は、前記重量異物出口部より上位に位置し、
前記軽量異物出口部は、前記頂面攪拌部材に対向しているものである。
【０００７】
また、請求項２記載のスクリ−ン装置は、請求項１記載のスクリ−ン装置において、
頂面攪拌部材は、スクリーンの天井部より高い位置に支持されたリング状部と、このリング状部に接続された略円錐台状部材と、この略円錐台状部材の側面に設けられた複数の羽根と、前記略円錐台状部の頂面に設けられた凸部とを有し、前記凸部は、前記軽量異物出口部に向かって突出しているものである。
【０００８】
また、請求項３記載のスクリ−ン装置は、請求項１記載のスクリ−ン装置において、
頂面攪拌部材は、スクリーンの天井部より高い位置に支持された円盤状部と、この円盤状部の中心部に設けられた凸部とを有し、前記凸部は、前記軽量異物出口部に向かって突出しているものである。
【０００９】
また、請求項４記載のスクリ−ン装置の異物分離方法は、製紙原料をスクリーンに供給すると共に、前記スクリーンの外側に対向して回転する攪拌部材により、前記スクリーンの目洗い作用を行って、前記製紙原料から異物を除去するスクリーン装置の異物分離方法であって、前記製紙原料を受け入れる槽と、この槽に接続され前記槽へ前記製紙原料を導く製紙原料の入口通路と、前記スクリーンによって、精選された前記製紙原料を前記槽外へ導く精選出口通路と、この槽内に固定して設けられ、前記槽内を一次室と二次室に区画する円筒形状のスクリ−ンと、前記スクリ−ンの外側に回転自在に支持され、前記製紙原料を攪拌する攪拌部材とを有し、前記一次室の軽量異物出口部に連通するように設けられ、前記製紙原料の軽量異物を前記一次室の外へ導く軽量異物出口通路と、前記一次室の重量異物出口部に連通するように設けられ、前記製紙原料の重量異物を前記一次室の外へ導く重量異物出口通路と、を備え、前記製紙原料の入口部、前記軽量異物出口部、前記重量異物出口部を前記一次室に、前記精選出口部を前記二次室に、それぞれ臨ませ、前記スクリ−ンの外側に前記一次室が、前記スクリ−ンの内側に前記二次室が、それぞれ形成され、前記攪拌部材は、前記スクリーンの天井部より高い位置に支持された頂面攪拌部材と、この頂面攪拌部材から垂下した垂下攪拌部材とを有し、前記軽量異物出口部は、前記重量異物出口部より上位に位置し、前記軽量異物出口部は、前記頂面攪拌部材に対向し、前記頂面攪拌部材の攪拌により、前記製紙原料からの軽量異物を前記頂面攪拌部材の中心に集め、前記軽量異物を前記軽量異物出口部から、前記垂下攪拌部材の攪拌により、前記製紙原料からの重量異物を重力により前記重量異物出口部から、それぞれ前記槽外へ分離して導くものである。
【発明の効果】
【００１０】
請求項１記載のスクリ−ン装置によれば、製紙原料をスクリーンに供給すると共に、前記スクリーンの外側に対向して回転する攪拌部材により、前記スクリーンの目洗い作用を行って、前記製紙原料から異物を除去するスクリーン装置であって、前記製紙原料を受け入れる槽と、この槽に接続され前記槽へ前記製紙原料を導く製紙原料の入口通路と、前記スクリーンによって、精選された前記製紙原料を前記槽外へ導く精選出口通路と、この槽内に固定して設けられ、前記槽内を一次室と二次室に区画する円筒形状のスクリ−ンと、前記スクリ−ンの外側に回転自在に支持され、前記製紙原料を攪拌する攪拌部材とを有し、前記一次室の軽量異物出口部に連通するように設けられ、前記製紙原料の軽量異物を前記一次室の外へ導く軽量異物出口通路と、前記一次室の重量異物出口部に連通するように設けられ、前記製紙原料の重量異物を前記一次室の外へ導く重量異物出口通路と、を備え、前記製紙原料の入口部、前記軽量異物出口部、前記重量異物出口部を前記一次室に、前記精選出口部を前記二次室に、それぞれ臨ませ、前記スクリ−ンの外側に前記一次室が、前記スクリ−ンの内側に前記二次室が、それぞれ形成され、前記攪拌部材は、前記スクリーンの天井部より高い位置に支持された頂面攪拌部材と、この頂面攪拌部材から垂下した垂下攪拌部材とを有し、前記軽量異物出口部は、前記重量異物出口部より上位に位置し、前記軽量異物出口部は、前記頂面攪拌部材に対向しているため、頂面攪拌部材の攪拌により、製紙原料からの軽量異物を頂面攪拌部材の中心に集め、軽量異物を軽量異物出口部から、垂下攪拌部材の攪拌により、製紙原料からの重量異物を重力により重量異物出口部から、それぞれ槽外へ分離して導くことができる等の効果を有する。
【００１１】
また、 請求項２記載のスクリ−ン装置によれば、上述した請求項１記載の発明の効果に加え、頂面攪拌部材は、スクリーンの天井部より高い位置に支持されたリング状部と、このリング状部に接続された略円錐台状部材と、この略円錐台状部材の側面に設けられた複数の羽根と、前記略円錐台状部の頂面に設けられた凸部とを有しているため、撹拌効果がより強力で、製紙原料からの軽量異物を頂面攪拌部材の中心により集め、槽外へ導くことができる。
【００１２】
また、 請求項３記載のスクリ−ン装置によれば、上述した請求項１記載の発明の効果に加え、頂面攪拌部材は、スクリーンの天井部より高い位置に支持された円盤状部と、この円盤状部の中心部に設けられた凸部とを有し、前記凸部は、前記軽量異物出口部に向かって突出しているため、撹拌効果により、製紙原料からの軽量異物を頂面攪拌部材の中心により集め、槽外へ導くことができる。
【００１３】
また、請求項４記載のスクリ−ン装置の異物分離方法によれば、製紙原料をスクリーンに供給すると共に、前記スクリーンの外側に対向して回転する攪拌部材により、前記スクリーンの目洗い作用を行って、前記製紙原料から異物を除去するスクリーン装置の異物分離方法であって、前記製紙原料を受け入れる槽と、この槽に接続され前記槽へ前記製紙原料を導く製紙原料の入口通路と、前記スクリーンによって、精選された前記製紙原料を前記槽外へ導く精選出口通路と、この槽内に固定して設けられ、前記槽内を一次室と二次室に区画する円筒形状のスクリ−ンと、前記スクリ−ンの外側に回転自在に支持され、前記製紙原料を攪拌する攪拌部材とを有し、前記一次室の軽量異物出口部に連通するように設けられ、前記製紙原料の軽量異物を前記一次室の外へ導く軽量異物出口通路と、前記一次室の重量異物出口部に連通するように設けられ、前記製紙原料の重量異物を前記一次室の外へ導く重量異物出口通路と、を備え、前記製紙原料の入口部、前記軽量異物出口部、前記重量異物出口部を前記一次室に、前記精選出口部を前記二次室に、それぞれ臨ませ、前記スクリ−ンの外側に前記一次室が、前記スクリ−ンの内側に前記二次室が、それぞれ形成され、前記攪拌部材は、前記スクリーンの天井部より高い位置に支持された頂面攪拌部材と、この頂面攪拌部材から垂下した垂下攪拌部材とを有し、前記軽量異物出口部は、前記重量異物出口部より上位に位置し、前記軽量異物出口部は、前記頂面攪拌部材に対向し、前記頂面攪拌部材の攪拌により、前記製紙原料からの軽量異物を前記頂面攪拌部材の中心に集め、前記軽量異物を前記軽量異物出口部から、前記垂下攪拌部材の攪拌により、前記製紙原料からの重量異物を重力により前記重量異物出口部から、それぞれ前記槽外へ分離して導くことができる。
【図面の簡単な説明】
【００１４】
【図１】図１は、本発明の一実施例のスクリーン装置の概略的一部断面図である。
【図２】図２は、図１の攪拌部材の概略的斜視図である。
【図３】図３は、図１のトップカバーの概略的斜視図である。
【図４】図４は、図３のトップカバーの概略的正面図である。
【図５】図５は、図２の攪拌部材と異なる他の実施例の攪拌部材の概略的斜視図である。
【発明を実施するための形態】
【００１５】
本発明の一実施例のスクリ−ン装置及びスクリ−ン装置の異物分離方法を図面を参照して説明する。
図１乃至図４において、Ａはスクリーン装置で、スクリーン装置Ａは、製紙原料をスクリーン１に供給すると共に、スクリーン１の外側に対向して回転する攪拌部材２により、スクリーン１の目洗い作用を行って、前記製紙原料から異物を除去することができるようになっている。
【００１６】
図１に示す３は、製紙原料を受け入れる槽で、４は、槽３に接続され、槽３へ製紙原料を導く製紙原料の入口通路で、５は、スクリーン１によって、精選された製紙原料を槽３外へ導く精選出口通路である。
【００１７】
スクリ−ン１は、円筒形状で、槽３内に固定して設けられ、槽３内を一次室（一次室は、スクリ−ン１の外側である。）３Ａと二次室（二次室は図示しないが、スクリ−ン１の内側である。）に区画するものである。
【００１８】
図１に示す６は、一次室３Ａの軽量異物出口部に連通するように設けられ、製紙原料の軽量異物を一次室３Ａの外へ導く軽量異物出口通路で、７は、一次室３Ａの重量異物出口部に連通するように設けられ、製紙原料の重量異物を一次室３Ａの外へ導く重量異物出口通路である。
そして、製紙原料の入口部、軽量異物出口部、重量異物出口部を一次室３Ａに、精選出口部を二次室（図示せず）に、それぞれ臨ませ、スクリ−ン３の外側に一次室３Ａが、スクリ−ン１の内側に二次室（図示せず）が、それぞれ形成されている（図１参照）。
【００１９】
スクリ−ン１の外側に回転自在に支持され、製紙原料を攪拌する攪拌部材２は、図２に示すように、スクリーン１の天井部より高い位置に支持された頂面攪拌部材２Ａと、この頂面攪拌部材２Ａから垂下した垂下攪拌部材２Ｂとを有している。図２に示す２Ｃは、
垂下攪拌部材２Ｂを接続する補強リングで、図１、図３、図４に示す８は、槽３の上面を覆うトップカバーである。
なお、図１に示すように、軽量異物出口部３１は、重量異物出口部３２より上位に位置し、軽量異物出口部３１は、頂面攪拌部材２Ａに対向している。
【００２０】
従って、上述したスクリ−ン装置１にあっては、製紙原料の入口通路４から製紙原料が供給され、槽３内に製紙原料が貯留さると、攪拌部材２が、例えば、図２に示す方向に回転する。そうすると、槽３内の製紙原料が攪拌され、異物はスクリ−ン１を通過できず、良繊維はスクリ−ン１を通過し、精選出口通路５から槽３外へと導かれる。
上述したスクリ−ン装置（スクリ−ン装置の異物分離方法）１にあっては、頂面攪拌部材２Ａの攪拌により、製紙原料からの軽量異物を頂面攪拌部材２Ａの中心に集め、軽量異物を軽量異物出口部３１から、垂下攪拌部材２Ｂの攪拌により、製紙原料からの重量異物を重力により重量異物出口部３２から、それぞれ槽３外へ分離して導くことができる。
【００２１】
特に、頂面攪拌部材２Ａは、図１、図２に示すように、スクリーン１の天井部より高い位置に支持されたリング状部２Ａ１と、このリング状部２Ａ１に接続された略円錐台状部材（上方から下方に向けて漸次拡径される略円錐台）２Ａ２と、この略円錐台状部材２Ａ２の側面に設けられた複数の羽根２Ａ３と、略円錐台状部２Ａ２の頂面に設けられた凸部２Ａ４とを有し、凸部２Ａ４は、軽量異物出口部３１に向かって突出している。
そのため、撹拌効果がより強力で、製紙原料からの軽量異物を頂面攪拌部材２Ａの中心により集め、軽量異物出口部３１を介して、槽３外へ導くことができる。
【００２２】
なお、上述した頂面攪拌部材２Ａは、図２に限らず、図５記載の頂面攪拌部材２Ａでも良い。頂面攪拌部材２Ａは、スクリーン１の天井部より高い位置に支持された円盤状部２Ａ５と、この円盤状部２Ａ５の中心部に設けられた凸部２Ａ４とを有し、凸部２Ａ４は、上述の実施例と同様に、軽量異物出口部３１に向かって突出している。
この実施例においても、撹拌効果により、製紙原料からの軽量異物を頂面攪拌部材２Ａの中心により集め、軽量異物出口部３１を介して、槽３外へ導くことができる。
【符号の説明】
【００２３】
Ａ      スクリ−ン装置
１      スクリ−ン
２      攪拌部材
２Ａ    頂面攪拌部材
２Ｂ    垂下攪拌部材
３      槽
３Ａ    一次室
３１    軽量異物出口部
３２    重量異物出口部
４      製紙原料の入口通路
５      精選出口通路
６      軽量異物出口通路
７      重量異物出口通路
【図１】
2019060056.tif 000003
【図２】
2019060056.tif 000004
【図３】
2019060056.tif 000005
【図４】
2019060056.tif 000006
【図５】
2019060056.tif 000007